【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
被写体の光学像を形成するためのフォーカスレンズを含む撮影光学系を駆動する駆動手段と、前記光学像を撮像手段によって光電変換することにより得られる撮像信号を取得する取得手段とを有する焦点検出装置であって、
前記撮像信号に基づく撮影画面に焦点検出領域を設定する設定手段と、
少なくとも位相差検出方式に従って前記フォーカスレンズを前記駆動手段により駆動する焦点調節を行う焦点調節手段と、
前記設定手段によって設定された前記焦点検出領域に対応する前記撮像信号に対応する前記光学像に基づいて前記フォーカスレンズの駆動量を決定し、決定された前記駆動量に従って前記焦点調節手段を制御する制御手段とを備え、
前記制御手段は、前記設定手段を制御し、前記位相差検出方式に従った前記フォーカスレンズの駆動により前記撮影画面内の前記被写体の位置が変位した場合には、前記被写体の変位量に従って前記焦点検出領域の位置を変更することを特徴とする焦点検出装置。
【請求項２】
前記制御手段は、前記駆動手段による前記フォーカスレンズの駆動による前記被写体の像倍率の変化に基づいて前記被写体の前記変位量を決定し、決定した前記変位量および現在の前記焦点検出領域の位置に基づいて前記焦点検出領域の位置を変更するかどうかを決定することを特徴とする請求項１に記載の焦点検出装置。
【請求項３】
前記撮影画面に含まれる特定の被写体を検出する検出手段を備え、
前記制御手段は、前記設定手段を制御して、前記検出手段が検出した前記特定の被写体の位置に従って前記焦点検出領域を設定し、前記駆動手段による前記フォーカスレンズの駆動による前記特定の被写体の像倍率の変化に基づいて前記特定の被写体の前記変位量を決定し、決定した前記変位量および現在の前記焦点検出領域の位置に基づいて前記焦点検出領域の前記位置を変更するかどうかを決定することを特徴とする請求項１に記載の焦点検出装置。
【請求項４】
前記撮像手段は、複数の焦点検出用の画素を有し、
前記制御手段は、前記設定手段によって設定された前記焦点検出領域の位置に基づいて、前記焦点検出用の画素の位置および画素数を設定し、
前記取得手段は、前記制御手段によって設定された前記焦点検出用の画素から得られる前記撮像信号を取得することを特徴とする請求項１乃至３のいずれか１項に記載の焦点検出装置。
【請求項５】
前記撮影画面は、前記撮影光学系による前記光学像のディストーションを補正した画面であり、
前記制御手段は、前記設定手段によって設定された前記焦点検出領域および前記ディストーションの補正に基づいて、前記焦点検出用の画素の前記位置および前記画素数を設定することを特徴とする請求項４に記載の焦点検出装置。
【請求項６】
前記制御手段は、前記設定手段によって設定された前記焦点検出領域での前記光学像の像ずれ量と、像ずれの方向と前記ディストーションに基づいて設定された前記焦点検出領域の方向とがなす角度とに基づいて、前記フォーカスレンズの前記駆動量を決定することを特徴とする請求項５に記載の焦点検出装置。
【請求項７】
前記焦点調節手段は、さらに、コントラスト方式に従って前記フォーカスレンズを前記駆動手段により駆動する焦点調節を行い、
前記制御手段は、前記位相差検出方式に従った焦点調節において決定した前記駆動量に従って、前記位相差検出方式に従った焦点調節を前記コントラスト方式に従った焦点調節に切り替えるかどうかを決定し、前記コントラスト方式に従った焦点調節への切り替えを決定した時は、前記設定手段を制御して、前記コントラスト方式に従った焦点調節の焦点検出領域を、前記駆動量に従って設定することを特徴とする請求項１乃至６のいずれか１項に記載の焦点検出装置。
【請求項８】
被写体の光学像を形成するためのフォーカスレンズを含む撮影光学系を駆動する駆動手段と、前記光学像を撮像手段によって光電変換することにより得られる撮像信号を取得する取得手段とを有する焦点検出装置における焦点検出方法であって、
前記撮像信号に基づく撮影画面に焦点検出領域を設定する設定ステップと、
少なくとも位相差検出方式に従って前記フォーカスレンズを前記駆動手段により駆動する焦点調節を行う焦点調節ステップと、
前記設定ステップにおいて設定された前記焦点検出領域に対応する前記撮像信号に対応する前記光学像に基づいて前記フォーカスレンズの駆動量を決定し、決定された前記駆動量に従って前記駆動手段を制御する制御ステップとを備え、
前記制御ステップは、前記位相差検出方式に従った前記フォーカスレンズの駆動により前記撮影画面内の前記被写体の位置が変位した場合に、前記被写体の変位量に従って前記焦点検出領域の位置を変更するステップを有することを特徴とする焦点検出方法。
【請求項９】
被写体の光学像を形成するためのフォーカスレンズを含む撮影光学系を駆動する駆動手段と、前記光学像を撮像手段によって光電変換することにより得られる撮像信号を取得する取得手段とを有する焦点検出装置を制御するためのプログラムであって、
コンピュータを、
前記撮像信号に基づく撮影画面に焦点検出領域を設定する設定手段、
少なくとも位相差検出方式に従って前記フォーカスレンズを前記駆動手段により駆動する焦点調節を行う焦点調節手段、
前記設定手段によって設定された前記焦点検出領域に対応する前記撮像信号に対応する前記光学像に基づいて前記フォーカスレンズの駆動量を決定し、決定された前記駆動量に従って前記焦点調節手段を制御し、前記位相差検出方式に従った前記フォーカスレンズの駆動により前記撮影画面内の前記被写体の位置が変位した場合には、前記設定手段を制御して、前記被写体の変位量に従って前記焦点検出領域の位置を変更する制御手段として機能させるプログラム。
【請求項１０】
請求項９に記載のプログラムを記録したコンピュータが読み取り可能な記憶媒体。
【請求項１１】
コンピュータを、請求項１乃至７のいずれか１項に記載された焦点検出装置の各手段として機能させるプログラム。
【請求項１２】
コンピュータを、請求項１乃至７のいずれか１項に記載された焦点検出装置の各手段として機能させるプログラムを格納した記憶媒体。
【請求項１３】
前記フォーカスレンズを含む前記撮影光学系によって形成される前記被写体の前記光学像を光電変換することによって前記撮像信号を得る前記撮像手段と、
請求項１乃至７のいずれか１項に記載の焦点検出装置とを備え、
前記制御手段は、前記撮像手段による前記光学像の光電変換を制御することを特徴とする撮像装置。
【手続補正２】
【補正対象書類名】明細書
【補正対象項目名】００１０
【補正方法】変更
【補正の内容】
【００１０】
本発明の一観点によれば、被写体の光学像を形成するためのフォーカスレンズを含む撮影光学系を駆動する駆動手段と、前記光学像を撮像手段によって光電変換することにより得られる撮像信号を取得する取得手段とを有する焦点検出装置であって、前記撮像信号に基づく撮影画面に焦点検出領域を設定する設定手段と、少なくとも位相差検出方式に従って前記フォーカスレンズを前記駆動手段により駆動する焦点調節を行う焦点調節手段と、前記設定手段によって設定された前記焦点検出領域に対応する前記撮像信号に対応する前記光学像に基づいて前記フォーカスレンズの駆動量を決定し、決定された前記駆動量に従って前記焦点調節手段を制御する制御手段とを備え、前記制御手段は、前記設定手段を制御し、前記位相差検出方式に従った前記フォーカスレンズの駆動により前記撮影画面内の前記被写体の位置が変位した場合には、前記被写体の変位量に従って前記焦点検出領域の位置を変更することを特徴とする焦点検出装置が提供される。